(57)【要約】【課題】人感センサにより人体を検出して点灯する照明器具において、検出精度を高め、かつ人感センサの取付位置の自由度を高めることで器具の小型化を図る。【解決手段】照明器具１は、人体の存在を検出する人感センサ２と、人感センサ２により人体が検出されたときに点灯する光源３と、人感センサ２及び光源３を保持する筐体４とを備える。人感センサ２は、電波を送信し、人体で反射したその反射波を受信するアクティブセンサで構成され、光源３の光照射方向の背面側に配置されている。人感センサ２はアクティブセンサで構成されるので、人体の検出に際して光源による照明光の影響を受けない。このため、検出精度を高めることができ、かつ人感センサ２を光源３から離す必要がなくなり、従って人感センサ取付位置の自由度が高まる。そして、人感センサ２は、光源３の光照射方向の背面側に配置されるので、器具の小型化を図ることができる。【選択図】図１
2010055783.tif 000002
【特許請求の範囲】
【請求項１】
人体の存在を検出する人感センサと、前記人感センサにより人体が検出されたときに点灯する光源と、前記人感センサ及び光源を保持する筐体と、を備えた照明器具において、
前記人感センサは、電波を送信し、人体で反射したその反射波を受信するアクティブセンサで構成され、前記光源の光照射方向の背面側に配置されていることを特徴とする照明器具。
【請求項２】
前記光源は、放電灯で構成され、
前記人感センサは、前記光源が点灯している間はセンシング動作を停止することを特徴とする請求項１に記載の照明器具。
【請求項３】
器具周辺の明るさを検出する明るさセンサを備え、
前記光源は、前記明るさセンサにより検出された器具周辺の明るさが所定値以上である場合は、前記人感センサにより人体が検出されたときであっても、消灯していることを特徴とする請求項１又は請求項２に記載の照明器具。
【発明の詳細な説明】
【技術分野】
【０００１】
本発明は、人感センサにより人体を検出して点灯する照明器具に関する。
【背景技術】
【０００２】
従来から、人体を検出する人感センサと、この人感センサによる検出結果に応じて点灯する光源と、上記人感センサ及び光源を保持する筐体と、を備えた照明器具が知られている（例えば、特許文献１参照）。この照明器具において、筐体は、下面に光照射用開口を有し、天井に固定されており、光源は、並設された２本の直管形蛍光ランプで構成されている。センサは、底面視で２本の蛍光ランプの間となる位置に配置されている。
【０００３】
上記の人感センサがパッシブ型の赤外線センサで構成される場合、その人感センサは蛍光ランプによる照明光の赤外線成分を検出する虞があり、また、蛍光ランプから発せられる可視光の波長を整数倍した赤外線波長領域のノイズがセンサに発生することがある。これにより、誤検出の生じる虞がある。
【０００４】
そこで、蛍光ランプによるセンサへの影響を防いで検出精度を高めるため、人感センサを蛍光ランプから離して配設することが考えられる。しかしながら、そうすると、照明器具が大きくなってしまう。
【特許文献１】特許第４０３８９６０号公報
【発明の開示】
【発明が解決しようとする課題】
【０００５】
本発明は、上記の従来の問題を解決するためになされたものであり、人感センサにより人体を検出して点灯する照明器具において、検出精度を高めることができ、かつ人感センサの取付位置の自由度を高めることで器具の小型化を図ることができる照明器具を提供することを目的とする。
【課題を解決するための手段】
【０００６】
上記目的を達成するために請求項１の発明は、人体の存在を検出する人感センサと、前記人感センサにより人体が検出されたときに点灯する光源と、前記人感センサ及び光源を保持する筐体と、を備えた照明器具において、前記人感センサは、電波を送信し、人体で反射したその反射波を受信するアクティブセンサで構成され、前記光源の光照射方向の背面側に配置されているものである。
【０００７】
請求項２の発明は、請求項１に記載の照明器具において、前記光源は、放電灯で構成され、前記人感センサは、前記光源が点灯している間はセンシング動作を停止するものである。
【０００８】
請求項３の発明は、請求項１又は請求項２に記載の照明器具において、器具周辺の明るさを検出する明るさセンサを備え、前記光源は、前記明るさセンサにより検出された器具周辺の明るさが所定値以上である場合は、前記人感センサにより人体が検出されたときであっても、消灯しているものである。
【発明の効果】
【０００９】
請求項１の発明によれば、人感センサは、電波を送信してその反射波を受信するアクティブセンサで構成されるので、人体の検出に際して光源による照明光の影響を受けない。このため、検出精度を高めることができ、かつセンサを光源から離す必要がなくなり、従って、人感センサ取付位置の自由度を高めることができる。そして、そのアクティブセンサは、光源の光照射方向の背面側に配置されるので、器具の小型化を図ることができる。
【００１０】
請求項２の発明によれば、人感センサは、放電灯が点灯している間はセンシング動作を停止し、電波を送信しないので、放電により管内がプラズマで満たされて金属とみなせる状態となった放電灯により電波が反射されることはなく、従って、誤検出を防止することができる。
【００１１】
請求項３の発明によれば、器具周辺の明るさが所定値以上の場合には、人感センサにより人体が検出されたときであっても、光源は点灯しないので、省エネルギー化を図ることができる。
【発明を実施するための最良の形態】
【００１２】
以下、本発明の各種実施形態に係る照明器具について図面を参照して説明する。
（第１の実施形態）
図１（ａ）（ｂ）は、本発明の第１の実施形態に係る照明器具を示す。本実施形態の照明器具１は、人体の存在を検出する人感センサ２と、人感センサ２により人体が検出されたときに点灯する光源３と、人感センサ２及び光源３を保持する略直方体状の筐体４とを備える。人感センサ２は、ミリ波又はマイクロ波等の電波を送信し、人体で反射したその反射波を受信するアクティブセンサで構成される。人感センサ２は、光源３の光照射方向の背面側に配置されており、光源３が点灯している間は電波の送信及び受信動作すなわちセンシング動作を停止する。
【００１３】
人感センサ２は、検出領域内を移動する人体で反射されドップラ効果により周波数が変化した反射波を受信し、送信波との周波数差を検出して、人体の存在を検出する。人感センサ２は、アクティブセンサで構成されるので、人体だけでなく、移動する車両も同様に検知する。
【００１４】
光源３は、放電灯で構成され、例えばその一種である直管形蛍光灯で構成される。光源３は、筐体４の長手方向の両端部に設けられた一対のソケット３１の間に保持されている。
【００１５】
筐体４は、下面に光照射用開口４１を有しており、天井Ｃ１に設けられた孔Ｃ２に嵌め込まれて天井Ｃ１に固定されている。筐体４内には、光源３に沿ってその上方を覆うように断面視で略逆Ｖ字状の反射板４２が配設されている。反射板４２において光源３の光照射方向の背面側となる部位には孔４２ａが設けられており、人感センサ２はその孔４２ａに嵌め込まれ、一部が露出するように配置されている。このようにして、人感センサ２は、光源３を挟んで光照射用開口４１とは反対側に配置されている。反射板４２は筐体４と一体形成されている。
【００１６】
上記のように構成された照明器具１において、光源３が点灯すると、光源３から発せられた光Ｌ１は反射板４２で反射して又はそのまま光照射用開口４１を通って器具下方に照射される。
【００１７】
図２は、照明器具１の電気的構成を示す。照明器具１は、上述の人感センサ２及び光源３と、光源３を点灯させる点灯回路１１と、人感センサ２を駆動制御すると共に、人感センサ２からの検出信号を基に、点灯回路１１を駆動制御して光源３を点灯制御する制御部１２と、を備える。制御部１２は電源から点灯回路１１及び人感センサ２への給電制御を行う。
【００１８】
制御部１２は、マイクロプロセッサ及びタイマを含む。このマイクロプロセッサは人感センサ２からの検出信号を受信したとき光源３を点灯させると共に、人感センサ２の電源をオフする。そして、マイクロプロセッサは、予め設定された点灯保持時間をタイマにより計時し、その点灯保持時間の経過時に光源３を消灯させ、人感センサ２の電源をオンする。マイクロプロセッサは、点灯保持時間中に、人感センサ２からの次の検出信号を受信した場合であっても、点灯保持時間の計時をそのまま続ける。
【００１９】
図３は、照明器具１の制御部１２により制御された各部の動作例を示す。人感センサ２のセンシング動作中に、（１）人体が人感センサ２による検出領域内に入ると、（２）人感センサ２はその人体を検出し、（３）光源３が点灯し、点灯保持時間のカウントが開始される。そして、（４）人感センサ２はセンシング動作を停止する。人感センサ２は、光源３が点灯している間はセンシング動作を停止する。このため、センシング動作停止後、（５）人体が人感センサ２による検出領域内に入ったとしても、（６）人感センサ２はその人体を検出しない。
【００２０】
人感センサ２のセンシング動作停止後、（７）光源３が点灯保持時間経過に伴って消灯すると、（８）人感センサ２が起動してセンシングを再開する。この後、上記（１）〜（８）と同様の動作が繰り返される。
【００２１】
本実施形態においては、人感センサ２が、電波を送信してその反射波を受信するアクティブセンサで構成されるので、人体の検出に際して光源３による照明光の影響を受けない。このため、検出精度を高めることができ、かつ人感センサ２を光源から離す必要がなくなり、従って、人感センサ２の取付位置の自由度が高まる。そして、人感センサ２は、光源３の光照射方向の背面側に配置されるので、器具の小型化を図ることができ、器具下方から見たときの大きさが人感センサ非搭載の照明器具と略同じとなる。また、人感センサ２は光源３に隠れるので、照明器具１を下方から見たときに人感センサ２が目立たなくなり、そのため見栄えが良くなり、従って意匠上優れたものとなる。
【００２２】
また、光源３は放電灯で構成されており、人感センサ２は、光源３が点灯している間はセンシング動作を停止し、電波を送信しないので、放電により管内がプラズマで満たされて電子の移動が生じ金属とみなせる状態となった放電灯により電波が反射されることはない。従って、誤検出を防止することができる。
【００２３】
（第１の実施形態の変形例）
図４（ａ）〜（ｃ）は、上記第１の実施形態の変形例に係る照明器具１を示す。本変形例の照明器具１は、上記第１の実施形態と比べ、筐体４に光照射用開口４１が設けられておらず、筐体４の下面に人感センサ２が配置され、かつソケット３１が突設されている点で異なる。筐体４の下面において光源３の光照射方向の背面側となる部位には孔４ａが設けられており、人感センサ２はその孔４ａに嵌め込まれ、一部が露出するように配置されている。
【００２４】
（第１の実施形態の上記とは別の変形例）
図５（ａ）〜（ｃ）は、上記とは別の変形例に係る照明器具１を示す。本変形例においては、光源３が白熱電球で構成される。白熱電球では放電が生じないので放電に起因する上述の問題がない。そのため、本変形例の制御部１２は、上記第１の実施形態とは異なり、光源３を点灯させるときに人感センサ２のセンシング動作を停止させることはなく、動作を継続させる。
【００２５】
筐体４は、背が低い略直方体状の基部４３と、基部４３の下面に突設され、光源３が基部４３と略平行になるように支持する支持部４４とを有する。基部４３の下面において光源３の背面側となる部位には孔４３ａが設けられており、人感センサ２はその孔４３ａに嵌め込まれ、一部が露出するように配置されている。
【００２６】
図６は、本変形例の制御部１２により制御された各部の動作例を示す。人感センサ２のセンシング動作中に、（１）人体が人感センサ２による検出領域内に入ると、（２）人感センサ２はその人体を検出し、（３）光源３が点灯する。このとき、本変形例では、上記第１の実施形態と異なり、（４）人感センサ２はセンシング動作を停止せず、継続する。
【００２７】
（第２の実施形態）
図７は、本発明の第１の実施形態に係る照明器具を示す。本実施形態の照明器具１は、上記第１の実施形態と比べ、器具周辺の明るさを検出する明るさセンサ５をさらに備える。明るさセンサ５は、人感センサ２と並んで、光源３の光照射方向の背面側に配置されている。反射板４２において光源３の光照射方向の背面側となる部位には孔４２ｂが設けられており、明るさセンサ５はその孔４２ｂに嵌め込まれ、一部が露出するように配置されている。
【００２８】
図８は、本実施形態の照明器具１の電気的構成を示す。制御部１２は、人感センサ２による検出結果に加え、明るさセンサ５による検出結果に基づいて光源３を点灯制御する。具体的には、明るさセンサ５により検出された器具周辺の明るさが所定値以上である場合、人感センサ２により人体が検出されたときであっても、制御部１２は、光源３を点灯させず、消灯させたままとする。これに対して、明るさセンサ５により検出された明るさが所定値よりも低い場合には、制御部１２は、人感センサ２による人体検出時に光源３を点灯させる。
【００２９】
図９は、制御部１２により制御された各部の動作例を示す。ここで、人感センサ２はセンシング動作中であり、明るさセンサ５が所定値以上の明るさを検出しているとする。この状態で、（１）人体が人感センサ２による検出領域内に入ると、（２）人感センサ２はその人体を検出するが、（３）光源３は点灯せず、（４）人感センサ２はセンシング動作を継続する。
【００３０】
その後、（５）明るさセンサ５が所定値以上の明るさを検出し無くなったときに、（６）人体が人感センサ２による検出領域内に入ると、上記図３の（１）〜（４）（７）（８）で示した動作と同内容の動作（７）〜（１１）が実施される。その後、これら（１）〜（１１）と同様の動作が繰り返される。
【００３１】
本実施形態においては、器具周辺の明るさが所定値以上となった場合には、人感センサ２により人体が検出されたときであっても、光源３は点灯しないので、省エネルギー化を図ることができる。また、明るさセンサ５は、光源３の背面側に配置されるので、器具の小型化を図ることができる。また、明るさセンサ５は光源３に隠れるので、照明器具１を下方から見たときに明るさセンサ５が目立たなくなり、そのため見栄えが良くなる。
【００３２】
（第２の実施形態の変形例）
図１０（ａ）（ｂ）は、上記第２の実施形態の変形例に係る照明器具１を示す。本変形例の照明器具１は、上記第１の実施形態と比べ、筐体４に光照射用開口４１が設けられておらず、筐体４の下面に人感センサ２及び明るさ５が配置され、かつソケット３１が突設されている点で異なる。筐体４の下面において光源３の光照射方向の背面側となる部位には孔４ａ、４ｂが設けられており、人感センサ２は孔４ａに嵌め込まれ、明るさセンサ５は孔４ｂに嵌め込まれ、それぞれ、一部が露出するように配置されている。
【００３３】
なお、本発明は、上記の各種実施形態の構成に限定されるものでなく、使用目的に応じ、様々な変形が可能である。例えば、光源３は、高輝度放電灯で構成されていてもよい。また、制御部１２は、人感センサ２からの検出信号を受信した時に、人感センサ２の電源をオフするのではなく、その電源をオンのままとして、点灯保持時間が経過するまで検出信号をマスクすなわち無視するように構成されていてもよい。
【図面の簡単な説明】
【００３４】
【図１】（ａ）は本発明の第１の実施形態に係る照明器具を下方から見たときの斜視図、（ｂ）は同照明器具の断面図。
【図２】上記照明器具の電気的ブロック図。
【図３】上記照明器具の人感センサ及び光源の動作チャート。
【図４】（ａ）は上記実施形態の変形例に係る照明器具を下方から見たときの斜視図、（ｂ）は同照明器具の側面図、（ｃ）は（ｂ）のＡ−Ａ’線断面図。
【図５】（ａ）は上記とは別の変形例に係る照明器具を下方から見たときの斜視図、（ｂ）は同照明器具の側面図、（ｃ）はその底面図。
【図６】上記照明器具の人感センサ及び光源の動作チャート。
【図７】本発明の第２の実施形態に係る照明器具を下方から見たときの斜視図。
【図８】上記照明器具の電気的ブロック図。
【図９】上記照明器具の明るさセンサ、人感センサ及び光源の動作チャート。
【図１０】（ａ）は上記実施形態の変形例に係る照明器具を下方から見たときの斜視図、（ｂ）は同照明器具の側面図。
【符号の説明】
【００３５】
１  照明器具
２  人感センサ
３  光源
４  筐体
５  明るさセンサ
【図１】
2010055783.tif 000003
【図２】
2010055783.tif 000004
【図３】
2010055783.tif 000005
【図４】
2010055783.tif 000006
【図５】
2010055783.tif 000007
【図６】
2010055783.tif 000008
【図７】
2010055783.tif 000009
【図８】
2010055783.tif 000010
【図９】
2010055783.tif 000011
【図１０】
2010055783.tif 000012